(57)【要約】【課題】  カメラや照明ランプの機能とともに画像投影の機能を持たせることができ、しかも部品点数が増えることによるコスト高を抑制することができる情報通信端末を提供する。【解決手段】  ＬＥＤ部１３１と、ＬＥＤ部１３１から出射した光を拡散して外部の照射面に均一照射するための拡散照射用光学系１６０と、光像を電気信号に変換して画像データを生成するカメラ部１４０と、撮像対象の光像をカメラ部１４０上に結像するためのカメラ結像用光学系１５０とを備えた携帯電話機１００において、ＬＥＤ部１３１から出射した光を変調するための液晶パネル部１３２を設ける。そして、カメラ結像用光学系１５０を、液晶パネル部１３２から出射される光像を外部の投影面２００に結像して投影するための投影結像用光学系として兼用し、ＬＥＤ部１３１及び液晶パネル部１３２を、拡散照射対象の光の生成と投影対象の光像の生成とに兼用する。【選択図】  図１
2005130250.tif 000002
【特許請求の範囲】
【請求項１】
光源と、該光源から出射した光を拡散して外部の照射面に均一照射するための拡散照射用光学系と、光像を電気信号に変換して画像データを生成するカメラ部と、撮像対象の光像を該カメラ部上に結像するためのカメラ結像用光学系とを備えた情報通信端末であって、
該光源から出射した光を変調するための空間光変調部を設け、
該カメラ結像用光学系を、該空間光変調部から出射される光像を外部の投影面に結像して投影するための投影結像用光学系として兼用し、
該光源及び該空間光変調部を、拡散照射対象の光の生成と投影対象の光像の生成とに兼用したことを特徴とする情報通信端末。
【請求項２】
請求項１の情報通信端末において、
上記光源及び上記空間光変調部を、該拡散照射用光学系に向けて光を出射する拡散照射用位置と該カメラ結像用光学系に向けて光を出射する結像用位置とに移動可能に構成し、
上記カメラ部を、該光源及び該空間光変調部の移動に連動して該結像用位置と該結像用位置から退避した退避位置とに移動可能に構成したことを特徴とする情報通信端末。
【請求項３】
請求項１の情報通信端末において、
上記カメラ結像用光学系を、上記空間光変調部からの光を外部に出射する光出射用位置と外部からの光を上記カメラ部に入射する光入射用位置とに移動可能に構成し、
上記拡散照射用光学系を、該カメラ結像用光学系の移動に連動して該光出射用位置と該光出射用位置から退避した退避位置とに移動可能に構成したことを特徴とする情報通信端末。
【請求項４】
光源と、該光源から出射した光を拡散して外部の照射面に均一照射するための拡散照射用光学系とを備えた情報通信端末であって、
該光源から出射した光を変調するための空間光変調部と、該空間光変調部から出射される光像を外部の投影面に結像して投影するための投影結像用光学系とを設け、
該光源及び空間光変調部を、拡散照射対象の光の生成と投影対象の光像の生成とに兼用したことを特徴とする情報通信端末。
【請求項５】
請求項４の情報通信端末において、
上記光源を、上記拡散照射用光学系に向けて光を出射する拡散照射用位置と上記投影結像用光学系に向けて光を出射する結像用位置とに移動可能に構成したことを特徴とする情報通信端末。
【請求項６】
請求項４の情報通信端末において、
上記投影結像用光学系を、上記光源からの光を外部に出射する光出射用位置と該光出射用位置から退避した退避位置とに移動可能に構成し、
上記拡散照射用光学系を、該投影結像用光学系の移動に連動して該光出射用位置と該光出射用位置から退避した退避位置とに移動可能に構成したことを特徴とする情報通信端末。
【請求項７】
請求項６の情報通信端末において、
上記空間光変調部を、上記投影結像用光学系とともに一体移動するように構成したことを特徴とする情報通信端末。
【請求項８】
光源と、該光源から出射した光を変調するための空間光変調部と、該空間光変調部から出射される光像を外部の投影面に結像して投影するための投影結像用光学系とを備えた情報通信端末であって、
該光源と該投影結像用光学系との間の距離が、該投影面に光像を投影するときの所定の投影結像用距離と該投影結像用距離よりも短い投影待機用距離とを取り得るように、該投影結像用光学系を移動可能に構成したことを特徴とする情報通信端末。
【請求項９】
請求項８の情報通信端末において、
上記光源からの出射光を曲げて上記空間光変調部に入射させる光学部材を設けたことを特徴とする情報通信端末。
【発明の詳細な説明】
【技術分野】
【０００１】
本発明は、外部の投影面に画像を投影可能な携帯電話機等の情報通信端末に関するものである。
【背景技術】
【０００２】
従来、この種の情報通信端末として、画像表示部としてのディスプレイのほかに、画像を投影するためのプロジェクタを備えた携帯電話機が知られている（例えば、特許文献１参照）。この携帯電話機は、ディスプレイの画面に表示されている画像の一部を外部の投影面に拡大投影したり、その画面の画像の全体を投影面に拡大投影したりすることができる。
また、画像を撮影するカメラを備えた携帯電話機も知られている。この携帯電話機では、風景や人物などの画像をカメラで撮像してメモリに保存することができる。メモリに保存した画像データは、適宜読み出してディスプレイ上に表示したり、メールに添付して送信することができる。更に、最近では、暗い場所でもカメラで撮影できるように、被写体に光を照射するための照射ランプを備えた携帯電話機もある。
【特許文献１】特開２００１−２１９９２号公報
【発明の開示】
【発明が解決しようとする課題】
【０００３】
ところが、携帯電話機などの情報通信端末において、上記プロジェクタと上記カメラや照射ランプとを組み合わせて構成しようとすると、部品点数が多くなるため、コスト高になってしまうという問題点があった。
また、上記携帯電話機などの情報通信端末の場合、その携帯性を確保するために小型化を図る必要があるが、上記プロジェクタを組み込もうとすると端末のサイズが大きくなってしまうという問題点があった。
【０００４】
本発明は以上の問題点に鑑みなされたものであり、その第１の目的は、カメラや照明ランプの機能とともに画像投影の機能を持たせることができ、しかも部品点数が増えることによるコスト高を抑制することができる情報通信端末を提供することである。
また、本発明の第２の目的は、画像投影が可能になるとともに、画像投影機能を利用しないときに光学系を収納可能にして携帯性の向上を図ることができる情報通信端末を提供することである。
【課題を解決するための手段】
【０００５】
上記第１の目的を達成するために、請求項１の発明は、光源と、該光源から出射した光を拡散して外部の照射面に均一照射するための拡散照射用光学系と、光像を電気信号に変換して画像データを生成するカメラ部と、撮像対象の光像を該カメラ部上に結像するためのカメラ結像用光学系とを備えた情報通信端末であって、該光源から出射した光を変調するための空間光変調部を設け、該カメラ結像用光学系を、該空間光変調部から出射される光像を外部の投影面に結像して投影するための投影結像用光学系として兼用し、該光源及び該空間光変調部を、拡散照射対象の光の生成と投影対象の光像の生成とに兼用したことを特徴とするものである。
また、請求項２の発明は、請求項１の情報通信端末において、上記光源及び上記空間光変調部を、該拡散照射用光学系に向けて光を出射する拡散照射用位置と該カメラ結像用光学系に向けて光を出射する結像用位置とに移動可能に構成し、上記カメラ部を、該光源及び該空間光変調部の移動に連動して該結像用位置と該結像用位置から退避した退避位置とに移動可能に構成したことを特徴とするものである。
また、請求項３の発明は、請求項１の情報通信端末において、上記カメラ結像用光学系を、上記空間光変調部からの光を外部に出射する光出射用位置と外部からの光を上記カメラ部に入射する光入射用位置とに移動可能に構成し、上記拡散照射用光学系を、該カメラ結像用光学系の移動に連動して該光出射用位置と該光出射用位置から退避した退避位置とに移動可能に構成したことを特徴とするものである。
上記第１の目的を達成するために、請求項４の発明は、光源と、該光源から出射した光を拡散して外部の照射面に均一照射するための拡散照射用光学系とを備えた情報通信端末であって、該光源から出射した光を変調するための空間光変調部と、該空間光変調部から出射される光像を外部の投影面に結像して投影するための投影結像用光学系とを設け、該光源及び空間光変調部を、拡散照射対象の光の生成と投影対象の光像の生成とに兼用したことを特徴とするものである。
また、請求項５の発明は、請求項４の情報通信端末において、上記光源を、上記拡散照射用光学系に向けて光を出射する拡散照射用位置と上記投影結像用光学系に向けて光を出射する結像用位置とに移動可能に構成したことを特徴とするのである。
また、請求項６の発明は、請求項４の情報通信端末において、上記投影結像用光学系を、上記光源からの光を外部に出射する光出射用位置と該光出射用位置から退避した退避位置とに移動可能に構成し、上記拡散照射用光学系を、該投影結像用光学系の移動に連動して該光出射用位置と該光出射用位置から退避した退避位置とに移動可能に構成したことを特徴とするものである。
また、請求項７の発明は、請求項６の情報通信端末において、上記空間光変調部を、上記投影結像用光学系とともに一体移動するように構成したことを特徴とするものである。
上記第２の目的を達成するために、請求項８の発明は、光源と、該光源から出射した光を変調するための空間光変調部と、該空間光変調部から出射される光像を外部の投影面に結像して投影するための投影結像用光学系とを備えた情報通信端末であって、該光源と該投影結像用光学系との間の距離が、該投影面に光像を投影するときの所定の投影結像用距離と該投影結像用距離よりも短い投影待機用距離とを取り得るように、該投影結像用光学系を移動可能に構成したことを特徴とするものである。
また、請求項９の発明は、請求項８の情報通信端末において、上記光源から出射する出射光の光軸と上記空間光変調部へ入射する入射光の光軸とが交差するように、該光源及び該空間光変調部を配置したことを特徴とするものである。
【０００６】
請求項１の情報通信端末では、光源から出射した光を空間光変調部で均一に透過又は反射させて拡散照射対象の光を生成する。この拡散照射対象の光を拡散照射用光学系で拡散させて外部の照射面に均一照射することにより、照明ランプの機能を持たせることができる。また、撮像対象の光像をカメラ結像用光学系でカメラ部上に結像し、その結像した光像をカメラ部で電気信号に変換して画像データを生成することにより、カメラの機能を持たせることができる。更に、上記光源から出射した光を上記空間光変調部で変調して投影対象の光像を生成する。この投影対象の光像を、投影結像用光学系として兼用したカメラ結像用光学系によって外部の投影面に投影することにより、画像投影の機能を持たせることができる。
また、請求項１の情報通信端末では、撮像対象の光像をカメラ部上に結像するためのカメラ結像用光学系を、空間光変調部から出射される光像を外部の投影面に結像して投影するための投影結像用光学系として兼用している。このようにカメラ結像用光学系を兼用することにより、投影結像用光学系を個別に設けた場合に比して部品点数を減らすことができる。更に、光源及びその光源から出射した光を変調するための空間光変調部を、拡散照射対象の光の生成と投影対象の光像の生成とに兼用している。このように光源及び空間光変調部を兼用することにより、拡散照射対象の光を生成するための光学部品と、投影対象の光像を生成するための光学部品とを個別に設けた場合に比して部品点数を減らすことができる。
【０００７】
請求項２の情報通信端末において、カメラの機能を利用するときには、光源及び空間光変調部を、拡散照射用光学系に向けて光を出射する拡散照射用位置に移動させる。そして、光源から出射した光が全面にわたって均一に透過又は反射するように空間光変調部を制御する。この移動及び制御により、光源から出射した光を空間光変調部の全面にわたって均一に透過又は反射させ、その空間光変調部から出射した光を拡散照射用光学系で拡散して外部の照射面に均一照射することができる。更に、上記光源及び空間光変調部の拡散照射用位置への移動に連動して、カメラ部を結像用位置に移動させる。この移動により、被写体の撮像対象の光像をカメラ部上に結像し、被写体の画像を撮像することができる。
一方、画像投影の機能を利用するときには、光源及び空間光変調部を、投影結像用光学系として兼用するカメラ結像用光学系に向けて光を出射する結像用位置に移動させる。そして、画像データに基づいて光源から出射した光の透過又は反射の程度を２次元的に変調するように空間光変調部を制御する。この移動及び制御により、光源から出射した光を空間光変調部で２次元的に透過又は反射させ、その空間光変調部から出射した光像をカメラ結像用光学系で外部の投影面に結像して投影することができる。更に、上記光源及び空間光変調部の結像用位置への移動に連動して、カメラ部を、結像用位置から退避した退避位置に移動させる。この移動により、上記光源及び空間光変調部とカメラ部との空間的な干渉を回避することができる。
【０００８】
請求項３の情報通信端末において、カメラの機能を利用するときには、カメラ結像用光学系を、外部からの光をカメラ部に入射する光入射用位置に移動させる。この移動により、被写体の撮像対象の光像をカメラ部上に結像し、被写体の画像を撮像することができる。更に、カメラ結像用光学系の光入射用位置への移動に連動して、拡散照射用光学系を、空間光変調部からの光を外部に出射する光出射用位置に移動させる。そして、光源から出射した光が全面にわたって均一に透過又は反射するように空間光変調部を制御する。この移動及び制御により、光源から出射した光を空間光変調部の全面にわたって均一に透過又は反射させ、その空間光変調部から出射した光を拡散照射用光学系で拡散して外部の照射面に均一照射することができる。
一方、画像投影の機能を利用するときには、カメラ結像用光学系を、空間光変調部からの光を外部に出射する光出射用位置に移動させる。そして、画像データに基づいて光源から出射した光の透過又は反射の程度を２次元的に変調するように空間光変調部を制御する。この移動及び制御により、光源から出射した光を空間光変調部で２次元的に透過又は反射させ、その空間光変調部から出射した光像をカメラ結像用光学系で外部の投影面に結像して投影することができる。更に、カメラ結像用光学系の光出射用位置への移動に連動して、拡散照射用光学系を光出射用位置から退避した退避位置に移動させる。この移動により、上記カメラ結像用光学系と拡散照射用光学系との空間的な干渉を回避することができる。
【０００９】
請求項４の情報通信端末では、光源から出射した光を空間光変調部で均一に透過又は反射させて拡散照射対象の光を生成する。この拡散照射対象の光を拡散照射用光学系で拡散させて外部の照射面に均一照射することにより、照明ランプの機能を持たせることができる。更に、上記光源から出射した光を上記空間光変調部で変調して投影対象の光像を生成する。この投影対象の光像を、投影結像用光学系によって外部の投影面に投影することにより、画像投影の機能を持たせることができる。
また、請求項４の情報通信端末では、光源及び空間光変調部を、拡散照射対象の光の生成と投影対象の光像の生成とに兼用している。このように光源及び空間光変調部を兼用することにより、拡散照射対象の光を生成するための光学部品と、投影対象の光像を生成するための光学部品とを個別に設けた場合に比して部品点数を減らすことができる。
【００１０】
請求項５の情報通信端末において、照明ランプ機能を利用するときには、光源を、拡散照射用光学系に向けて光を出射する拡散照射用位置に移動させる。この移動により、光源から出射した光を拡散照射用光学系で拡散して外部の照射面に均一照射することができる。ここで、光源から出射した光は、空間光変調部で全面にわたって均一に透過又は反射した後に、拡散照射用光学系で拡散して外部の照射面に均一照射するようにしてもよい。
一方、画像投影の機能を利用するときには、光源を、投影結像用光学系に向けて光を出射する結像用位置に移動させる。そして、画像データに基づいて光源から出射した光の透過又は反射の程度を２次元的に変調するように空間光変調部を制御する。この移動及び制御により、光源から出射した光を空間光変調部で２次元的に透過又は反射させ、その空間光変調部から出射した光像を投影結像用光学系で外部の投影面に結像して投影することができる。
【００１１】
請求項６の情報通信端末において、照明ランプ機能を利用するときには、投影結像用光学系を、光源からの光を外部に出射する光出射用位置から退避した退避位置に移動させる。この移動により、投影結像用光学系と拡散照射用光学系との空間的な干渉を回避することができる。更に、上記投影結像用光学系の退避位置への移動に連動して、拡散照射用光学系を光出射用位置に移動させる。この移動により、光源から出射した光を拡散照射用光学系で拡散して外部の照射面に均一照射することができる。ここで、光源から出射した光は、空間光変調部で全面にわたって均一に透過又は反射した後に、拡散照射用光学系で拡散して外部の照射面に均一照射するようにしてもよい。
一方、画像投影の機能を利用するときには、投影結像用光学系を、光源からの光を外部に出射する光出射用位置に移動させる。そして、画像データに基づいて光源から出射した光の透過又は反射の程度を２次元的に変調するように空間光変調部を制御する。この移動及び制御により、光源から出射した光を空間光変調部で２次元的に透過又は反射させ、その空間光変調部から出射した光像を投影結像用光学系で外部の投影面に結像して投影することができる。更に、上記投影結像用光学系の退避位置への移動に連動して、拡散照射用光学系を光出射用位置から退避した退避位置に移動させる。この移動により、投影結像用光学系と拡散照射用光学系との空間的な干渉を回避することができる。
【００１２】
請求項７の情報通信端末では、空間光変調部が投影結像用光学系とともに一体移動するため、照明ランプ機能を利用するときには、空間光変調部が投影結像用光学系と一緒に退避位置に移動する。この移動により、照明ランプ機能の利用時に光源から出射した光が空間光変調部に当たらないようになる。
【００１３】
請求項８の情報通信端末において、画像投影の機能を利用するときには、光源と投影結像用光学系との間の距離が、投影面に光像を投影するときの所定の投影結像用距離になるように、投影結像用光学系を移動させる。この移動により、光源から出射した光を空間光変調部で２次元的に透過又は反射させ、その空間光変調部から出射した光像を投影結像用光学系で外部の投影面に結像して投影することができる。
一方、画像投影の機能を利用しないときには、光源と投影結像用光学系との間の距離が、上記投影結像用距離よりも短い投影待機用距離になるように、投影結像用光学系を移動させる。これにより、情報通信端末内に配置した光源に投影結像用光学系を近づけて収容し、情報通信端末のサイズを抑制することができる。
【００１４】
請求項９の情報通信端末では、光源からの出射光を光学部材で曲げて空間光変調部に入射させることにより、光源から出射する出射光の光軸と空間光変調部へ入射する入射光の光軸とを交差させることができる。このように両光軸を交差させることにより、光源から空間光変調部までの光軸が一直線上になるように構成した場合に比して、空間光変調部へ光が入射する方向における情報通信端末の長さが短くなる。
【００１５】
なお、上記「情報通信端末」には、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機が含まれる。また、「情報通信端末」には、ＰＨＳ（Personal Handyphone Service）、自動車電話等の電話機のほか、携帯電話モジュールを付加した情報通信端末や、固定電話機も含まれる。
また、上記情報通信端末における制御は、その情報通信端末内に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【発明の効果】
【００１６】
請求項１乃至３の発明によれば、光源、空間光変調部、拡散照射用光学系、カメラ結像用光学系及びカメラ部を組み合わせて用いることにより、カメラや照明ランプの機能とともに画像投影の機能を持たせることができる。
しかも、カメラ結像用光学系を兼用することにより、投影結像用光学系を個別に設けた場合に比して部品点数の増加を抑制することができる。更に、光源及び空間光変調部を兼用することにより、拡散照射対象の光を生成するための光学部品と、投影対象の光像を生成するための光学部品とを個別に設けた場合に比して部品点数を減らすことができる。したがって、部品点数が増えることによるコスト高を抑制することができるという効果がある。
特に、請求項２の発明によれば、光源及び空間光変調部やカメラ部を、スライドや回動などの簡易な駆動によって所定の位置に移動させることにより、カメラや照明ランプの機能と画像投影の機能を切り換えて利用できるという効果がある。
特に、請求項３の発明によれば、カメラ結像用光学系及び拡散照射用光学系を、スライドや回動などの簡易な駆動によって所定の位置に移動させることにより、カメラや照明ランプの機能と画像投影の機能を切り換えて利用できるという効果がある。
【００１７】
請求項４乃至７の発明によれば、光源、空間光変調部、拡散照射用光学系及び投影結像用光学系を組み合わせて用いることにより、照明ランプの機能とともに画像投影の機能を持たせることができる。
しかも、光源及び空間光変調部を兼用することにより、拡散照射対象の光を生成するための光学部品と、投影対象の光像を生成するための光学部品とを個別に設けた場合に比して部品点数を減らすことができる。したがって、部品点数が増えることによるコスト高を抑制することができるという効果がある。
特に、請求項５の発明によれば、光源を、スライドや回動などの簡易な駆動によって所定の位置に移動させることにより、照明ランプの機能と画像投影の機能を切り換えて利用できるという効果がある。
特に、請求項６の発明によれば、投影結像用光学系及び拡散照射用光学系を、スライドや回動などの簡易な駆動によって所定の位置に移動させることにより、照明ランプの機能と画像投影の機能を切り換えて利用できるという効果がある。
特に、請求項７の発明によれば、照明ランプ機能の利用時に光源から出射した光が空間光変調部に当たらないようになるので、空間光変調部の劣化を防止できるという効果がある。
【００１８】
請求項８及び９の発明によれば、光源と投影結像用光学系との間の距離が所定の投影結像用距離になるように投影結像用光学系を移動させることにより、空間光変調部から出射した光像を投影結像用光学系で外部の投影面に結像して投影することができる。しかも、画像投影を利用しないときには、光源と投影結像用光学系との間の距離が上記投影結像用距離よりも短い投影待機用距離になるため、情報通信端末内の光源に投影結像用光学系を近づけるように収容し、情報通信端末の外形サイズを小さくすることができる。したがって、画像投影の機能を持たせるとともに、画像投影機能を利用しないときに投影結像用光学系を収容してサイズ抑制によって携帯性の向上を図ることができるという効果がある。
特に、請求項９の発明によれば、光源から空間光変調部までの光軸が一直線上になるように構成した場合に比して、空間光変調部へ光が入射する方向における情報通信端末の長さが短くなる。したがって、情報通信端末の外形サイズの比較的短い方向に、空間光変調部へ光が入射する方向を設定した場合に、投影結像用光学系等の部品が突出してサイズが大きくなるのを抑制することができるという効果がある。
【発明を実施するための最良の形態】
【００１９】
以下、本発明の実施の形態を図面を参照しながら説明する。
〔実施形態１〕
図２は、本発明の実施形態に係る情報通信端末としての携帯電話機の概略構成の一例を示すブロック図である。この携帯電話機の本体部分１００は、制御手段としての制御部１１１、内部メモリ１１２、通信手段としての無線通信部１１３及びアンテナ１１４を備えている。また、制御部１１１には、音声処理部１１５を介してマイク１１６及びスピーカ１１７が接続され、画像処理部１１８を介して画像表示部１１９が接続され、更にキー操作部１２０が接続されている。
【００２０】
また、本実施形態の携帯電話機は、カメラ機能と照明ランプ機能とを有している。
カメラ機能は、光像を電気信号に変換して画像データを生成するカメラ部１４０と、撮像対象の光像をカメラ部１４０上に結像するためのカメラ結像用光学系１５０とを設けることにより実現されている。カメラ部１４０は、ＣＭＯＳ型撮像デバイスやＣＣＤ型撮像デバイス等で構成され、これらの撮像デバイスの駆動や撮像した画像データの保存等は制御部１１１によって制御される。カメラ結像用光学系１５０は、ズーム機能を持たせるように複数のレンズの位置を変化させる駆動機構を有し、この駆動機構は制御部１１１から制御される。撮像対象の光像は、カメラ結像用光学系１５０でカメラ部１４０の受光面上に結像される。この結像された光像がカメラ部１４０で電気信号に変換されて画像データが生成される。カメラ部１４０で生成された画像データは、内部メモリ１１２等のデータ記憶部に保存される。
【００２１】
照明ランプ機能は、光源としてのＬＥＤ部１３１及び空間光変調部としての液晶パネル部１３２からなる光生成部１３０と、該光源から出射した光を拡散して外部の照射面に均一照射するための拡散照射用光学系１６０とを設けることにより実現されている。ＬＥＤ部１３１は、例えば白色の高輝度発光ダイオードによって構成され、制御部１１１によって発光のＯＮ／ＯＦＦ等が制御される。液晶パネル部１３２は、制御部１１１からの制御データに基づいて、２次元的に形成された多数の画素の透過率を互いに独立に制御できるように構成されている。本実施形態では、透過型の液晶パネルを用いているが、反射型の液晶パネルを用いてもよい。ＬＥＤ部１３１から出射した光は、全面の画素について光透過率が最大になるように制御された液晶パネル部１３２で均一に透過され、拡散照射対象の光が生成される。この液晶パネル部１３２で生成された拡散照射対象の光が拡散照射用光学系１６０で拡散させて外部の照射面に均一照射される。
【００２２】
更に、本実施形態の携帯電話機は、利用者が視認可能な外部投影面（以下、単に「投影面」という）２００に画像を投影するための画像投影手段を備えている。この画像投影手段は、投影対象の光像を生成するための光生成部１３０と、光生成部１３０で生成した光像を投影面２００上に結像して投影するための投影結像光学系とを用いて構成されている。この光生成部１３０としては、上記ＬＥＤ部１３１及び液晶パネル部１３２が兼用され、上記投影結像光学系としては上記カメラ結像用光学系１５０が兼用されている。とを用いて構成されている。ＬＥＤ部１３１から出射した光は、画像データに基づいて制御された液晶パネル部１３２で変調され、これにより、投影対象の光像が生成される。この投影対象の光像は、投影結像用光学系として兼用したカメラ結像用光学系１５０によって投影面２００に投影される。
【００２３】
なお、本実施形態では、上記カメラ機能及び照明ランプ機能と上記画像投影の機能を切り換えて利用するために、カメラ部１４０及び光生成部１３０（ＬＥＤ部１３１及び液晶パネル部１３２）を所定の位置に連動して移動できるように構成されている。これらのカメラ部１４０及び光生成部１３０の移動については、後述する。
【００２４】
上記制御部１１１は例えばＣＰＵ、キャッシュメモリ、システムバス等で構成され、所定の制御プログラムを実行することにより内部メモリ１１２や無線通信部１１３等の各部との間でデータの送受信を行ったり各部を制御したりする。また、この制御部１１１は、上記カメラ部１４０、ＬＥＤ部１３１及び液晶パネル部１３２を制御する制御手段としても用いられる。
【００２５】
上記内部メモリ１１２は例えばＲＡＭやＲＯＭなどの半導体メモリで構成され、制御部１１１で実行する制御プログラムや各種データを記憶するものである。また、この内部メモリ１１２は、情報提供サイトなどからダウンロードした画像、音楽、プログラム等のコンテンツデータを記憶するコンテンツデータ記憶手段としても用いられる。また、この内部メモリ１１２は、スピーカ１１７から出力する音のデータ及び画像表示部１１９に表示する画像データを記憶するデータ記憶手段としても用いられる。更に、この内部メモリ１１２は、上記ＬＥＤ部１３１及び液晶パネル部１３２等からなる画像投影手段で投影する画像のデータや、カメラ部１４０で撮像した画像のデータを記憶するデータ記憶手段としても用いられる。
【００２６】
上記無線通信部１１４は制御部１１１で制御され、アンテナ１１４を介して、所定の通信方式により通信ネットワークとしての携帯電話通信網の基地局との間で無線通信を行うものである。この無線通信により、特定の携帯電話機等との間で音声電話通信を行ったり、電子メールの送受信や情報提供サイトからのコンテンツダウンロード等のデータ通信を行ったりすることができる。
【００２７】
上記音声処理部１１５は、マイクロフォン１１６から入力された送話音声信号を所定方式で符号化して制御部１１１に送る。また、この音声処理部１１５は、無線通信部１１３で受信した受話音声信号を復号化してスピーカ１１７から出力する。更に、この音声処理部１１５は、内部メモリ１１２に記憶されている着信メロディやアプリケーションプログラムで用いる効果音等の音信号をスピーカ１１７から出力する。音を出力する音出力手段は、音声処理部１１５及びスピーカ１１７を用いて構成されている。
【００２８】
上記画像処理部１１８は、無線通信部１１３で受信した画像データや、内部メモリ１１２に記憶されているアイコンやメニュー、着信通知画像等の画像データを処理し、液晶ディスプレイ（ＬＣＤ）等からなる画像表示部１１９に表示させる。また、画像処理部１１８は、内部メモリ１１２に記憶されている撮像画像のデータを処理し、画像表示部１１９に表示させることもできる。画像表示手段は、これらの画像処理部１１８及び画像表示部１１９を用いて構成されている。
【００２９】
上記キー操作部１２０は、データ入力キー（テンキー、＊キー、＃キー）、通話開始キー、終話キー、スクロールキー、多機能キー等を備え、電話の発信や着信のほか、表示部１１９に表示される情報のスクロールや選択等に用いる。
このキー操作部１２０は、上記ＬＥＤ部１３１の発光光量や液晶パネル部１３２の透過光量を変化させて投影画像の光量を利用者が指定するための光量指定手段としても用いられる。
【００３０】
図３は、上記画像投影手段を備えた折り畳み式の携帯電話機１００で画像を投影している様子を示した説明図である。この携帯電話機１００の背面側には、上記カメラ結像用光学系１５０及び拡散照射用光学系１６０がそれぞれ露出した開口を有している。また、携帯電話機１００の上記開口の近傍の上部端面には、切り換え操作部としてのスライド操作部１８０を備えている。このスライド操作部１８０は、カメラ部１４０及び光生成部１３０（ＬＥＤ部１３１及び液晶パネル部１３２）と一体移動するように各部に連結されている。このスライド操作部１８０を利用者がスライドさせるように操作することにより、カメラ部１４０及び光生成部１３０（ＬＥＤ部１３１及び液晶パネル部１３２）を連動して並進移動させ、カメラ機能及び照明ランプ機能と画像投影の機能とを互いに切り換えて利用できるようになっている。
【００３１】
図１（ａ）及び（ｂ）は、図３の上方から見た携帯電話機の内部構成の説明図である。
図１（ａ）に示すようにカメラ機能及び照明ランプ機能を利用する場合は、カメラ部１４０及び光生成部１３０（ＬＥＤ部１３１及び液晶パネル部１３２）を次の位置に移動させておく。すなわち、光生成部１３０（ＬＥＤ部１３１及び液晶パネル部１３２）を、拡散照射用光学系１６０に向けて光を出射する拡散照射用位置Ａに移動させておく。また、カメラ部１４０を、カメラ結像用光学系１５０からの光像を受ける結像用位置Ｂに移動させておく。
一方、図１（ｂ）に示すように画像投影の機能を利用する場合は、カメラ部１４０及び光生成部１３０（ＬＥＤ部１３１及び液晶パネル部１３２）を、図中の黒塗りの矢印で示す方向に沿って次の位置に移動させておく。すなわち、光生成部１３０（ＬＥＤ部１３１及び液晶パネル部１３２）を、カメラ部１４０と入れ替えて結像用位置Ｂに移動させておく。また、カメラ部１４０を、結像用位置Ｂから退避した退避位置Ｃに移動させておく。このように移動させた状態で、例えば待ち受け状態でカメラ結像用光学系１５０が露出した開口を所望の投影面２００に向けて机の上に置いたり、携帯電話機用の充電器にセットしたりしておく。また、利用者は、キー操作部１２０を操作することにより画像投影を行う画像投影モードのいずれかに設定する。
【００３２】
以上、本実施形態によれば、ＬＥＤ部１３１、液晶パネル部１３２、拡散照射用光学系１６０、カメラ結像用光学系１５０及びカメラ部１４０を組み合わせて用いることにより、カメラや照明ランプの機能とともに画像投影の機能を持たせることができる。
しかも、投影結像用光学系としてカメラ結像用光学系１５０を兼用することにより、投影結像用光学系を個別に設けた場合に比して部品点数の増加を抑制することができる。更に、ＬＥＤ部１３１及び液晶パネル部１３２を兼用することにより、拡散照射対象の光を生成するための光学部品と、投影対象の光像を生成するための光学部品とを個別に設けた場合に比して部品点数を減らすことができる。したがって、部品点数が増えることによるコスト高を抑制することができる。
特に、本実施形態によれば、ＬＥＤ部１３１及び液晶パネル部１３２やカメラ部１４０を、スライドさせるという簡易な駆動操作によって所定の位置に移動させることにより、カメラや照明ランプの機能と画像投影の機能を切り換えて利用できる。
【００３３】
なお、上記図１乃至図３に示した実施形態では、カメラ部１４０及び光生成部１３０（ＬＥＤ部１３１及び液晶パネル部１３２）を移動させているが、次のようにカメラ結像用光学系１５０及び拡散照射用光学系１６０を移動させるようにしてもよい。
図４（ａ）に示すようにカメラ機能及び照明ランプ機能を利用する場合は、カメラ部１４０及び光生成部１３０を固定配置した状態で、カメラ結像用光学系１５０及び拡散照射用光学系１６０を次の位置に移動させておく。すなわち、カメラ結像用光学系１５０を、外部からの光をカメラ部１４０に入射する光入射用位置Ｆに移動させておく。また、拡散照射用光学系１６０を、光生成部１３０（ＬＥＤ部１３１及び液晶パネル部１３２）からの光を外部に出射する光出射用位置Ｅに移動させておく。
一方、図４（ｂ）に示すように画像投影の機能を利用する場合は、カメラ結像用光学系１５０及び拡散照射用光学系１６０を、図中の黒塗りの矢印で示す方向に沿って次の位置に移動させておく。すなわち、カメラ結像用光学系１５０を、拡散照射用光学系１６０と入れ替えて光出射用位置Ｅに移動させておく。また、拡散照射用光学系１６０を、光出射用位置Ｅから退避した退避位置Ｄに移動させておく。
【００３４】
〔実施形態２〕
図５は、他の実施形態に係る携帯電話機の概略構成を示すブロック図である。この携帯電話機は、カメラ部１４０を設けていない点、及び投影結像用光学系１５１を個別に備えている点で、上記図１乃至４に示した携帯電話機と異なる。上記図１乃至４に示した実施形態と同様な部分については、説明を省略する。
本実施形態の携帯電話機において、図６（ａ）に示すように照明ランプ機能を利用する場合は、光生成部１３０（ＬＥＤ部１３１及び液晶パネル部１３２）を、拡散照射用光学系１６０に向けて光を出射する拡散照射用位置Ｇに移動させておく。
一方、図６（ｂ）に示すように画像投影の機能を利用する場合は、光生成部１３０（ＬＥＤ部１３１及び液晶パネル部１３２）を、図中の黒塗りの矢印で示す方向に沿って結像用位置Ｈに移動させておく。
【００３５】
以上、本実施形態によれば、ＬＥＤ部１３１、液晶パネル部１３２、拡散照射用光学系１６０及び投影結像用光学系１５１を組み合わせて用いることにより、照明ランプの機能とともに画像投影の機能を持たせることができる。
しかも、ＬＥＤ部１３１及び液晶パネル部１３２を兼用することにより、拡散照射対象の光を生成するための光学部品と、投影対象の光像を生成するための光学部品とを個別に設けた場合に比して部品点数を減らすことができる。したがって、部品点数が増えることによるコスト高を抑制することができる。
特に、本実施形態によれば、ＬＥＤ部１３１及び液晶パネル部１３２を、スライドさせるという簡易な駆動操作によって所定の位置に移動させることにより、照明ランプの機能と画像投影の機能を切り換えて利用できる。
【００３６】
なお、上記図６では、光生成部１３０（ＬＥＤ部１３１及び液晶パネル部１３２）を移動させているが、次のように投影結像用光学系１５１及び拡散照射用光学系１６０を移動させるようにしてもよい。
図７（ａ）に示すように照明ランプ機能を利用する場合は、光生成部１３０を固定配置した状態で、投影結像用光学系１５１及び拡散照射用光学系１６０を次の位置に移動させておく。すなわち、投影結像用光学系１５１を退避位置Ｋに移動させ、拡散照射用光学系１６０を、光生成部１３０（ＬＥＤ部１３１及び液晶パネル部１３２）からの光を外部に出射する光出射用位置Ｊに移動させておく。
一方、図７（ｂ）に示すように画像投影の機能を利用する場合は、投影結像用光学系１５１及び拡散照射用光学系１６０を、図中の黒塗りの矢印で示す方向に沿って次の位置に移動させておく。すなわち、投影結像用光学系１５１を、拡散照射用光学系１６０と入れ替えて光出射用位置Ｊに移動させ、拡散照射用光学系１６０を、光出射用位置Ｊから退避した退避位置Ｉに移動させておく。
【００３７】
また、上記図６では、液晶パネル部１３２をＬＥＤ部１３１とともに一体移動させているが、図８（ａ）及び（ｂ）に示すように投影結像用光学系１５１の光入射側に固設しておいてもよい。また、上記図７では、液晶パネル部１３２をＬＥＤ部１３１の光出射側に固設しているが、図９（ａ）及び（ｂ）に示すように液晶パネル部１３２を投影結像用光学系１５１とともに一体移動するようにしてもよい。これらの図８及び図９に示すように、液晶パネル部１３２と投影結像用光学系１５１とを一体的に構成した場合は、照明ランプ機能の利用時にＬＥＤ部１３１から出射した光が液晶パネル部１３２に当たらないようになるので、液晶パネル部１３２の劣化を防止できる。
【００３８】
〔実施形態３〕
図１０（ａ）及びは、更に他の実施形態に係る携帯電話機における画像投影手段の構成を示す概略構成図である。この携帯電話機の画像投影手段は、光源としてのＬＥＤ部１３１と、レンズなどからなる集光光学系１３３と、液晶パネル部１３２と、投影結像用光学系１５１とを用いて構成されている。そして、
本実施形態において、図１０（ａ）に示すように画像投影の機能を利用する場合は、ＬＥＤ部１３１と投影結像用光学系１５１との間の距離が、投影面２００に光像を投影するときの所定の投影結像用距離Ｌ１（例えば１２ｍｍ程度）になるように、投影結像用光学系１５１を移動させる。この移動により、ＬＥＤ部１３１から出射した光を液晶パネル部１３２で２次元的に透過させ、その液晶パネル部１３２から出射した光像を投影結像用光学系１５１で外部の投影面２００に結像して投影することができる。
一方、図１０（ｂ）に示すように画像投影の機能を利用しないときには、ＬＥＤ部１３１と投影結像用光学系１５１との間の距離が、上記投影結像用距離Ｌ１よりも短い投影待機用距離Ｌ１’（例えば７ｍｍ程度）になるように、投影結像用光学系１５１を移動させる。また、この投影結像用光学系１５１の移動に伴って、各部材間の距離も短くなるように液晶パネル部１３２及び集光光学系１３３を移動させる。これにより、携帯電話機１００内に配置したＬＥＤ部１３１に投影結像用光学系１５１を近づけて収容し、画像投影機能を利用しないときの携帯電話機の外形サイズを抑制し、携帯性の向上を図ることができる。
【００３９】
また、図１１に示すように、上記ＬＥＤ部１３１からの出射光を曲げて上記液晶パネル部１３２に入射させるミラー部材１３４を設けてもよい。このミラー部材１３４のほか、プリズム等の光学部材を用いることもできる。この場合は、ＬＥＤ部１３１からの出射光をミラー部材１３４で曲げて液晶パネル部１３２に入射させることにより、ＬＥＤ部１３１から出射する出射光の光軸と液晶パネル部１３２へ入射する入射光の光軸とを交差させることができる。このように両光軸を交差させることにより、ＬＥＤ部１３１から液晶パネル部１３２までの光軸が一直線上になるように構成した場合に比して、液晶パネル部１３２へ光が入射する方向における携帯電話機の長さが短くなる。例えば、図１０（ａ）の例で図中の長さＬ１が１２ｍｍ程度あったものが、Ｌ２＝１０ｍｍ程度まで短くなる。したがって、投影結像用光学系１５１等の部品が突出してサイズが大きくなるのを抑制することができる。
【００４０】
なお、上記各実施形態の携帯電話機１００は、プラットフォームに依存しないオブジェクト指向プログラミングによって開発されたアプリケーションプログラムを実行可能に構成してもよい。そして、上記画像投影部１３０、１４０の起動やその画像投影部１３０、１４０による画像の投影動作を、アプリケーションプログラムからの指令に基づいて実行するようにしてもよい。上記アプリケーションプログラムとしては、ＪＡＶＡ（登録商標）、Ｃ言語、Ｃ＋＋言語等で記述されたアプリケーションプログラムが挙げられる。上記アプリケーションプログラムは、ＢＲＥＷ（登録商標）からなる実行環境上で動作可能なアプリケーションプログラムであってもよい。更に、これらのアプリケーションプログラムは、携帯電話機１００にプレインストールされているものであってもいいし、通信ネットワークとしての携帯電話通信網を介してダウンロードサーバからダウンロードし携帯電話機１００に保存して登録したものでもよい。
【００４１】
図１２は、アプリケーションプログラムを実行可能な携帯電話機の概略構成の一例を示すブロック図であり、図１３は、その携帯電話機におけるソフトウェア構造の一例を示す説明図である。この携帯電話機は、前述の制御部１１１等のほか、アプリケーションプログラムの実行環境を管理するアプリケーションプログラム実行管理手段としてのアプリケーションプログラム実行管理部１９０を備えている。このアプリケーションプログラム実行管理部１９０は、システムバス、ＣＰＵやＲＡＭ等で構成され、アプリケーションプログラムを実行するための所定のミドルウェアにしたがって動作する。アプリケーションプログラム実行管理部１９０は、図１３のソフトウェア構造上において中央の「プログラム実行環境」に対応しており、オブジェクト指向プログラミングで開発されたアプリケーションプログラムに利用されるクラスライブラリ、実行環境管理ライブラリ、アプリケーション管理等のソフトウェアを提供し、アプリケーションプログラムの実行環境を管理する。
ここで、アプリケーションプログラムは、クラスライブラリＡＰＩ（アプリケーションインターフェース）を介して上記プログラム実行環境内にある関数等のクラスライブラリを呼び出して使用できるようになっている。この関数等のクラスライブラリの呼び出しの履歴は、アプリケーションプログラムの仮想的な実行環境（仮想マシン：ＶＭ）が終了するまで保持される。また、プログラム実行環境内の実行環境管理ライブラリは、電話機プラットフォームＡＰＩを介して後述の電話機プラットフォーム内の電話機プラットフォームライブラリを呼び出して使用できるようになっている。
上記画像投影の制御は、アプリケーションプログラム実行管理部１９０から制御部１１１を介して画像投影手段を構成する光生成部１３０（ＬＥＤ部１３１及び液晶パネル部１３２）に制御指令を送ることによって実行する。なお、アプリケーションプログラム実行管理部１９０から光生成部１３０（ＬＥＤ部１３１及び液晶パネル部１３２）に制御指令を直接送ることによって実行するように構成してもよい。
【００４２】
上記構成の携帯電話機において、待ち受け用アプリケーションプログラムやゲームなどのアプリケーションプログラムの実行中に、画像の投影を行うときは、アプリケーションプログラムからアプリケーションプログラム実行環境に対し、画像投影起動要求指令のための所定の関数の呼び出しを行う。この関数の呼び出しを受けたアプリケーションプログラム実行環境は、制御部１１１に対し、画像投影起動要求指令を送る。この画像投影起動要求指令を受けた制御部１１１は、光生成部１３０（ＬＥＤ部１３１及び液晶パネル部１３２）に対して起動要求指令及び画像投影用制御データを送る。
光生成部１３０（ＬＥＤ部１３１及び液晶パネル部１３２）は、上記起動要求指令に応じて起動し、上記画像投影用制御データに基づいて制御データで指定された所定の光像を生成し、外部の投影面２００への投影を開始する。
【００４３】
なお、光生成部１３０（ＬＥＤ部１３１及び液晶パネル部１３２）の起動及び画像投影動作を実行させるアプリケーションプログラムは、着信通知画像を投影する待ち受け用アプリケーションプログラムであってもいいし、その他の例えばプロジェクタ機能の制御に特化したアプリケーションプログラムであってもよい。
【００４４】
また、上記各実施形態では、光源が発光ダイオードを用いたものであり、光空間変調部が透過型の液晶パネルを用いたものある場合について説明したが、本発明は、発光ダイオード以外の光源や、透過型の液晶パネル以外の光空間変調部を用いた場合にも適用できる。
【００４５】
また、上記各実施形態では、上記ＬＥＤ部１３１や光学系１５０、１５１、１６１の移動に、利用者が操作可能なスライド操作部１８０を用いた場合に説明したが、ＬＥＤ部１３１や光学系１５０、１５１、１６１を回動させる円板状のダイヤル型の操作部を用いてもよい。利用者が操作可能な操作部と、移動対象のＬＥＤ部１３１や光学系１５０、１５１、１６１との間は、カム部材などからなるリンク機構を用いて構成してもよい。更に、これらの駆動力は、利用者の手動ではなく、ソレノイドなどの駆動源等から得るように構成してもよい。
【図面の簡単な説明】
【００４６】
【図１】（ａ）及び（ｂ）はそれぞれ照明・カメラ利用時及び画像投影利用時における本発明の実施形態に係る携帯電話機の内部構成の説明図。
【図２】同携帯電話機の概略構成の一例を示すブロック図。
【図３】同携帯電話機の斜視図。
【図４】（ａ）及び（ｂ）はそれぞれ変形例に係る携帯電話機の内部構成の説明図。
【図５】他の実施形態に係る携帯電話機の概略構成の説明図。
【図６】（ａ）及び（ｂ）はそれぞれ照明・カメラ利用時及び画像投影利用時における同携帯電話機の内部構成の説明図。
【図７】（ａ）及び（ｂ）はそれぞれ変形例に係る携帯電話機の内部構成の説明図。
【図８】（ａ）及び（ｂ）はそれぞれ他の変形例に係る携帯電話機の内部構成の説明図。
【図９】（ａ）及び（ｂ）はそれぞれ更に変形例に係る携帯電話機の内部構成の説明図。
【図１０】（ａ）及び（ｂ）は更に他の実施形態に係る携帯電話機の画像投影手段の概略構成図。
【図１１】更に他の実施形態に係る携帯電話機の画像投影手段の概略構成図。
【図１２】アプリケーションプログラム実行可能な携帯電話機の概略構成の一例を示すブロック図。
【図１３】同携帯電話機におけるソフトウェア構造の一例を示す説明図。
【符号の説明】
【００４７】
１００  携帯電話機
１１１  制御部
１１３  無線通信部
１３０  光生成部
１３１  ＬＥＤ部
１３２  液晶パネル部
１３３  集光光学系
１３４  ミラー部材
１４０  カメラ部
１５０  カメラ結像用光学系
１５１  投影結像用光学系
１６０  拡散照射用光学系
２００  投影面
【図１】
2005130250.tif 000003
【図２】
2005130250.tif 000004
【図３】
2005130250.tif 000005
【図４】
2005130250.tif 000006
【図５】
2005130250.tif 000007
【図６】
2005130250.tif 000008
【図７】
2005130250.tif 000009
【図８】
2005130250.tif 000010
【図９】
2005130250.tif 000011
【図１０】
2005130250.tif 000012
【図１１】
2005130250.tif 000013
【図１２】
2005130250.tif 000014
【図１３】
2005130250.tif 000015